(57)【特許請求の範囲】
【請求項１】
トンネル断面と相似形のアーチ状または円筒状ガイド枠と、
前記ガイド枠に沿って移動されるチェーンカッタ用移動フレームと、
前記チェーンカッタ用移動フレームに固定され、切羽に向かって、斜め上向きに伸長するチェーンカッタ用ガイド部材と、
前記チェーンカッタ用ガイド部材に沿って移動されるように設けられ、前記トンネルの長手方向に伸長し、チェーンカッタ循環用駆動装置により循環駆動されることにより、前記切羽の外周に沿って透かし溝を掘削し、前記チェーンカッタ循環用駆動装置を軸心として回動可能に設けられる透かし溝掘削用チェーンカッタと、
前記トンネルの長手方向に伸長し、前記透かし溝に硬化性材料を注入する硬化性材料注入管と、
前記透かし溝に注入された前記硬化性材料が硬化して端面を形成するように、前記硬化性材料に当接される妻型枠と、から成るトンネル掘進装置において、
前記ガイド枠に沿って移動されるように、前記チェーンカッタ用移動フレームとは独立して設けられる硬化性材料注入管用移動フレームと、
前記切羽に向かって斜め上向きに伸長し、前記チェーンカッタ用ガイド部材とは独立して、前記硬化性材料注入管用移動フレームに設けられる硬化性材料注入管用ガイド部材と、
前記硬化性材料注入管用ガイド部材に沿って移動するように、かつ、前記    チェーンカッタ循環用駆動装置とは独立に設けられる硬化性材料注入管駆動装置により前記硬化性材料注入管駆動装置を軸心として回動可能に設けられる硬化性材料注入管と、から成ることを特徴とするトンネル掘進装置。
【請求項２】
請求項１記載のトンネル掘進装置において、前記硬化性材料注入管用移動フレーム、前記硬化性材料注入管用ガイド部材、前記硬化性材料注入管駆動装置および前記硬化性材料注入管の代わりに、
前記透かし溝内で、かつ、前記透かし溝掘削用チェーンカッタの先端付近で第１の先端開口部を有する第１の先端部注入管と、
前記透かし溝内で、かつ、前記透かし溝掘削用チェーンカッタの長手方向の中央付近で第２の先端開口部を有する第２の先端部注入管と、
前記第１および第２の先端部注入管に対して連通あるいは離隔するように移動される後端部注入管と、から成る硬化性材料注入管を有し、
前記硬化性材料注入管と平行に設けられ、既に地盤が除去された空間に先端開口部を有し、前記後端部注入管が移動されることにより、前記後端部注入管と連通あるいは離隔するバイパス管を備えることを特徴とするトンネル掘進装置。
【請求項３】
請求項１記載のトンネル掘進装置において、前記硬化性材料注入管用移動フレーム、前記硬化性材料注入管用ガイド部材、前記硬化性材料注入管駆動装置および前記硬化性材料注入管の代わりに、
前記透かし溝掘削用チェーンカッタと平行状態を維持しながら、長手方向に移動可能に硬化性材料注入管は設けられ、
前記透かし溝掘削用チェーンカッタに固定され、前記透かし溝内に開口し、前記硬化性材料注入管の先端開口部と連通するときに、前記透かし溝内に前記硬化性材料を注入する固定開口部と、
前記硬化性材料注入管と平行に前記透かし溝掘削用チェーンカッタに固定さ  れ、前記固定開口部から長手方向に別の位置に、前記硬化性材料注入管と連通可能に先端開口部を有し、既に地盤が除去された空間に後端開口部を有するバイパス管と、
先端開口部が前記固定開口部と連通あるいは離隔するように、前記硬化性材料注入管と共に移動するように設けられ、空気を噴出するエア管と、を備えることを特徴とするトンネル掘進装置。
【請求項４】
請求項１記載のトンネル掘進装置において、前記硬化性材料注入管用移動フレーム、前記硬化性材料注入管用ガイド部材、前記硬化性材料注入管駆動装置および前記硬化性材料注入管の代わりに、
硬化性材料注入管は、シリンダにより前記透かし溝掘削用チェーンカッタと平行に離隔、あるいは、近接するように前記チェーンカッタ用ガイド部材に設けられることを特徴とするトンネル掘進装置。
【発明の詳細な説明】
【０００１】
【発明の属する技術分野】
本発明は、トンネルを掘進する作業に用いられるトンネル掘進装置に関し、特に、透かし溝掘削用チェーンカッタおよび透かし溝内に硬化性材料を注入する硬化性材料注入管の改良に関する。
【０００２】
【従来の技術】
従来、トンネルを掘進する作業に用いられるトンネル掘進装置および工法としては、特公昭６１−２４５１２号公報、特公平４−６３１９８号公報、特公平  ６−５８０３４号公報等で、トンネル断面と相似形のアーチ状または円筒状ガイド枠に沿って、透かし溝掘削用チェーンカッタが移動することにより、アーチ状または円筒状の透かし溝を掘削し、そのアーチ状または円筒状の透かし溝内に瞬間硬化性コンクリート等の硬化性材料を充填し、アーチ状または円筒状支保版を形成するトンネル掘進装置および工法が提案されている。
【０００３】
【発明が解決しようとする課題】
上述の従来例では、地盤に透かし溝を掘削する透かし溝掘削用チェーンカッタと、透かし溝に硬化性材料を注入し、アーチ状または円筒状支保版を形成する硬化性材料注入管とが、一体として移動、あるいは、回動するように構成されていた。
このため、アーチ状支保版を形成する場合の脚部付近において、透かし溝掘削用チェーンカッタと、硬化性材料注入管とを、一体として引き抜くため、引き抜かれた空間が大きく、この空間に別途、硬化性材料注入ホースを挿入して、硬化性材料を充填しなければならないという問題点があった。
また、地盤が強固な場合等において、透かし溝掘削用チェーンカッタが停止  し、あるいは、透かし溝の掘削速度が低下し、硬化性材料の圧送速度が低下し、硬化性材料注入管内で硬化性材料が硬化して、硬化性材料注入管を閉塞させるトラブルを生じるという問題点があった。
そこで、本発明は、アーチ状支保版を形成する場合の脚部付近においても、連続して、透かし溝の掘削および硬化性材料の注入作業を進行し、透かし溝掘削用チェーンカッタを引き抜く際にも、硬化性材料注入管で透かし溝に硬化性材料を充填でき、また、地盤が強固な場合等において、透かし溝掘削用チェーンカッタがトラブルにより停止し、あるいは、透かし溝の掘削速度が低下することによ  り、硬化性材料注入管内で硬化性材料が硬化して、硬化性材料注入管を閉塞させることを防止するトンネル掘進装置を提供することを目的とする。
【０００４】
【課題を解決するための手段】
本発明は、トンネル断面と相似形のアーチ状または円筒状ガイド枠と、
前記ガイド枠に沿って移動されるチェーンカッタ用移動フレームと、
前記チェーンカッタ用移動フレームに固定され、切羽に向かって、斜め上向きに伸長するチェーンカッタ用ガイド部材と、
前記チェーンカッタ用ガイド部材に沿って移動されるように設けられ、前記トンネルの長手方向に伸長し、チェーンカッタ循環用駆動装置により循環駆動されることにより、前記切羽の外周に沿って透かし溝を掘削し、前記チェーンカッタ循環用駆動装置を軸心として回動可能に設けられる透かし溝掘削用チェーンカッタと、
前記トンネルの長手方向に伸長し、前記透かし溝に硬化性材料を注入する硬化性材料注入管と、
前記透かし溝に注入された前記硬化性材料が硬化して端面を形成するように、前記硬化性材料に当接される妻型枠と、から成るトンネル掘進装置において、
前記ガイド枠に沿って移動されるように、前記チェーンカッタ用移動フレームとは独立して設けられる硬化性材料注入管用移動フレームと、
前記切羽に向かって斜め上向きに伸長し、前記チェーンカッタ用ガイド部材とは独立して、前記硬化性材料注入管用移動フレームに設けられる硬化性材料注入管用ガイド部材と、
前記硬化性材料注入管用ガイド部材に沿って移動するように、かつ、前記    チェーンカッタ循環用駆動装置とは独立に設けられる硬化性材料注入管駆動装置により前記硬化性材料注入管駆動装置を軸心として回動可能に設けられる硬化性材料注入管と、から成ることを特徴とするトンネル掘進装置である。
【０００５】
さらに、本発明は、上記トンネル掘進装置において、前記硬化性材料注入管用移動フレーム、前記硬化性材料注入管用ガイド部材、前記硬化性材料注入管駆動装置および前記硬化性材料注入管の代わりに、
前記透かし溝内で、かつ、前記透かし溝掘削用チェーンカッタの先端付近で第１の先端開口部を有する第１の先端部注入管と、
前記透かし溝内で、かつ、前記透かし溝掘削用チェーンカッタの長手方向の中央付近で第２の先端開口部を有する第２の先端部注入管と、
前記第１および第２の先端部注入管に対して連通あるいは離隔するように移動される後端部注入管と、から成る硬化性材料注入管を有し、
前記硬化性材料注入管と平行に設けられ、既に地盤が除去された空間に先端開口部を有し、前記後端部注入管が移動されることにより、前記後端部注入管と連通あるいは離隔するバイパス管を備えることを特徴とするトンネル掘進装置である。
【０００６】
さらに、本発明は、上記トンネル掘進装置において、前記硬化性材料注入管用移動フレーム、前記硬化性材料注入管用ガイド部材、前記硬化性材料注入管駆動装置および前記硬化性材料注入管の代わりに、
前記透かし溝掘削用チェーンカッタと平行状態を維持しながら、長手方向に移動可能に硬化性材料注入管は設けられ、
前記透かし溝掘削用チェーンカッタに固定され、前記透かし溝内に開口し、前記硬化性材料注入管の先端開口部と連通するときに、前記透かし溝内に前記硬化性材料を注入する固定開口部と、
前記硬化性材料注入管と平行に前記透かし溝掘削用チェーンカッタに固定さ  れ、前記固定開口部から長手方向に別の位置に、前記硬化性材料注入管と連通可能に先端開口部を有し、既に地盤が除去された空間に後端開口部を有するバイパス管と、
先端開口部が前記固定開口部と連通あるいは離隔するように、前記硬化性材料注入管と共に移動するように設けられ、空気を噴出するエア管と、を備えることを特徴とするトンネル掘進装置である。
【０００７】
さらに、本発明は、上記トンネル掘進装置において、前記硬化性材料注入管用移動フレーム、前記硬化性材料注入管用ガイド部材、前記硬化性材料注入管駆動装置および前記硬化性材料注入管の代わりに、
硬化性材料注入管は、シリンダにより前記透かし溝掘削用チェーンカッタと平行に離隔、あるいは、近接するように前記チェーンカッタ用ガイド部材に設けられることを特徴とするトンネル掘進装置である。
【０００８】
本発明によれば、ガイド枠に沿って移動されるように、チェーンカッタ用移動フレームとは独立して設けられる硬化性材料注入管用移動フレームと、切羽に向かって斜め上向きに伸長し、チェーンカッタ用ガイド部材とは独立して、硬化性材料注入管用移動フレームに設けられる硬化性材料注入管用ガイド部材と、硬化性材料注入管用ガイド部材に沿って移動するように、かつ、チェーンカッタ循環用駆動装置とは独立に設けられる硬化性材料注入管駆動装置により硬化性材料注入管駆動装置を軸心として回動可能に設けられる硬化性材料注入管と、から成  る。
このため、透かし溝掘削用チェーンカッタのみを別個独立に先行させて透かし溝を掘削し、ある程度掘削が進行した段階で、硬化性材料注入管を独立に回動、あるいは、切羽に向かって前進、あるいは、後退させて、硬化性材料を透かし溝に充填できる。  これにより、アーチ状支保版を形成する場合の脚部付近においても、硬化性材料注入管のみを独立に回動させるため、連続して、透かし溝の掘削および硬化性材料の注入作業を進行し、硬化性材料注入管で透かし溝に硬化性材料を充填でき、能率がよい。  また、地盤が強固な場合等において、透かし溝掘削用チェーンカッタがトラブルにより停止し、あるいは、透かし溝の掘削速度が低下ときに、硬化性材料注入管のみを独立に回動させるため、硬化性材料注入管内で硬化性材料が硬化して、硬化性材料注入管を閉塞させることを防止する。
【０００９】
さらに、本発明によれば、上記トンネル掘進装置において、前記硬化性材料注入管用ガイド部材、前記硬化性材料注入管駆動装置および前記硬化性材料注入管の代わりに、透かし溝内で、かつ、透かし溝掘削用チェーンカッタの先端付近で第１の先端開口部を有する第１の先端部注入管と、透かし溝内で、かつ、透かし溝掘削用チェーンカッタの長手方向の中央付近で第２の先端開口部を有する第  ２の先端部注入管と、第１および第２の先端部注入管に対して連通あるいは離隔するように移動される後端部注入管と、から成る硬化性材料注入管を有し、硬化性材料注入管と平行に設けられ、既に地盤が除去された空間に先端開口部を有  し、後端部注入管が移動されることにより、後端部注入管と連通あるいは離隔するバイパス管を備える。
このため、後端部注入管と、第１および第２の先端部注入管、あるいは、バイパス管との連通を、適宜、切り替えることにより、透かし溝掘削用チェーンカッタが、地盤強固等のトラブルにより停止した場合において、バイパス管を介して硬化性材料を、既に地盤が除去された空間に排出でき、硬化性材料が、硬化性材料注入管である第１および第２の先端部注入管、後端部注入管内で硬化して、硬化性材料注入管を閉塞させることを防止する。
【００１０】
さらに、本発明によれば、上記トンネル掘進装置において、前記硬化性材料注入管用ガイド部材、前記硬化性材料注入管駆動装置および前記硬化性材料注入管の代わりに、透かし溝掘削用チェーンカッタと平行状態を維持しながら、長手方向に移動可能に硬化性材料注入管は設けられ、透かし溝掘削用チェーンカッタに固定され、透かし溝内に開口し、硬化性材料注入管の先端開口部と連通するときに、透かし溝内に硬化性材料を注入する固定開口部と、硬化性材料注入管と平行に前記透かし溝掘削用チェーンカッタに固定され、固定開口部から長手方向に別の位置に、硬化性材料注入管と連通可能に先端開口部を有し、既に地盤が除去された空間に後端開口部を有するバイパス管と、先端開口部が固定開口部と連通あるいは離隔するように、硬化性材料注入管と共に移動するように設けられ、空気を噴出するエア管と、を備える。
このため、硬化性材料注入管と、バイパス管とを連通させるように、適宜、切り替えることにより、透かし溝掘削用チェーンカッタが地盤強固等のトラブルにより停止した場合において、バイパス管を介して硬化性材料を、既に地盤が除去された空間に排出でき、硬化性材料が、硬化性材料注入管内で硬化して、硬化性材料注入管を閉塞させることを防止する。  このとき、エア管の先端開口部が固定開口部と連通して、空気を噴出することにより、固定開口部から硬化性材料を排出して、固定開口部の閉塞を防止する。
【００１１】
さらに、本発明によれば、上記トンネル掘進装置において、前記硬化性材料注入管用ガイド部材、前記硬化性材料注入管駆動装置および前記硬化性材料注入管の代わりに、硬化性材料注入管は、シリンダにより透かし溝掘削用チェーンカッタと平行に離隔、あるいは、近接するようにチェーンカッタ用ガイド部材に設けられる。
このため、硬化性材料注入管は、シリンダにより透かし溝掘削用チェーンカッタと平行に離隔した状態で、透かし溝掘削用チェーンカッタが掘削作業を進行  し、透かし溝掘削用チェーンカッタが地盤強固等のトラブルにより停止した場合において、シリンダを短縮して、硬化性材料注入管は、透かし溝掘削用チェーンカッタと平行に近接する。  これにより、この近接により形成された空間に硬化性材料注入管は硬化性材料を排出でき、硬化性材料が硬化性材料注入管内で硬化して、硬化性材料注入管を閉塞させることを防止する。
【００１２】
【発明の実施の形態】
以下、本発明の実施の形態を図面を参照して説明する。
図１、図２（ａ）（ｂ）（ｃ）は、本発明の一実施の形態の部分構成および動作図である。  本発明のトンネル掘進装置は、基本的に、トンネル断面と相似形のアーチ状ガイド枠６または図示されない円筒状ガイド枠と、ガイド枠６に沿って移動されるチェーンカッタ用移動フレーム２１と、チェーンカッタ用移動フ  レーム２１に固定され、切羽に向かって、斜め上向きに伸長するチェーンカッタ用ガイド部材２２と、チェーンカッタ用ガイド部材２２に沿って移動されるように設けられ、トンネルの長手方向に伸長し、チェーンカッタ循環用駆動装置    ２３により循環駆動されることにより、切羽の外周に沿って透かし溝１を掘削  し、チェーンカッタ循環用駆動装置２３を軸心として矢印２８方向に、回動可能に設けられる透かし溝掘削用チェーンカッタ２と、透かし溝１に硬化性材料３を注入する硬化性材料注入管４と、透かし溝１に注入された硬化性材料３が硬化して端面を形成するように、硬化性材料３に当接される妻型枠５と、から成る。
【００１３】
次に、硬化性材料注入管用移動フレーム２６は、ガイド枠６に沿って移動されるように、チェーンカッタ用移動フレーム２１とは独立して設けられる。
さらに、硬化性材料注入管用ガイド部材２４は、切羽に向かって斜め上向きに伸長し、チェーンカッタ用ガイド部材２２とは独立して、硬化性材料注入管用移動フレーム２６に設けられる。
さらに、硬化性材料注入管４は、硬化性材料注入管用ガイド部材２４に沿って移動するように、かつ、チェーンカッタ循環用駆動装置２３とは独立に設けら  れる硬化性材料注入管駆動装置２５により硬化性材料注入管駆動装置２５を軸心として矢印２７方向に回動可能に設けられる。
ここで、透かし溝掘削用チェーンカッタ２により、図２（ａ）に示されるように、アーチ状ガイド枠６の脚部まで、透かし溝１の掘削が進行した場合に、図  ２（ｂ）に示されるように、透かし溝掘削用チェーンカッタ２のみを先行して独立に矢印２８方向に回動させ透かし溝の掘削を進行し、引き抜く。  次に、図  ２（ｃ）に示されるように、硬化性材料注入管４のみを独立に矢印２７方向に回動させ、硬化性材料３を透かし溝１内に充填してから、引き抜く。
これにより、アーチ状支保版を形成する場合の脚部付近においても、硬化性材料注入管４のみを独立に回動させるため、連続して、透かし溝１の掘削および硬化性材料３の注入作業を進行し、硬化性材料注入管４で透かし溝１に硬化性材料を充填でき、能率がよい。  また、地盤が強固な場合等において、透かし溝掘削用チェーンカッタ２がトラブルにより停止し、あるいは、透かし溝１の掘削速度が低下するときに、硬化性材料注入管４のみを独立に回動させるため、硬化性材料注入管４内で硬化性材料が硬化して、硬化性材料注入管４を閉塞させることを防止する。
【００１４】
次に、図１、図２（ａ）（ｂ）（ｃ）に示されるトンネル掘進装置において、硬化性材料注入管用移動フレーム２６、硬化性材料注入管用ガイド部材２４、硬化性材料注入管駆動装置２５および硬化性材料注入管４の代わりに、以下の構成要件を具備する、図３、図４（ａ）（ｂ）（ｃ）に示される第２の実施の形態について説明する。
硬化性材料注入管は、第１の先端部注入管４ａ、第２の先端部注入管４ｂおよび後端部注入管４ｃから構成される。
第１の先端部注入管４ａは、透かし溝１内で、かつ、透かし溝掘削用チェーンカッタ２の先端付近で第１の先端開口部７を有する。  第２の先端部注入管    ４ｂは、透かし溝１内で、かつ、透かし溝掘削用チェーンカッタ２の長手方向の中央付近で第２の先端開口部８を有する。  後端部注入管４ｃは、第１および第２の先端部注入管４ａ，４ｂに対して連通あるいは離隔するように移動される。
バイパス管９は、この硬化性材料注入管と平行に設けられ、既に地盤が除去された空間１０に先端開口部１１を有し、後端部注入管４ｃが移動されることにより、バイパス管９と連通あるいは離隔する。
【００１５】
図４（ａ）（ｂ）に示されるように、第１および第２の先端部注入管４ａ，  ４ｂおよびバイパス管９に対して、後端部注入管４ｃが上下にスライドして移動して、連通あるいは離隔するように構成されるが、図４（ｃ）に示さに示されるように、後端部注入管４ｃが回動して移動して、連通あるいは離隔するように構成される場合もある。
このため、後端部注入管４ｃと、第１および第２の先端部注入管４ａ，４ｂ、あるいは、バイパス管９との連通を、適宜、切り替えることにより、透かし溝掘削用チェーンカッタ２が、地盤強固等のトラブルにより停止した場合に、バイパス管９を介して硬化性材料を、既に地盤が除去された空間１０に排出でき、硬化性材料が、硬化性材料注入管である第１および第２の先端部注入管４ａ，４ｂ、後端部注入管４ｃ内で硬化して、硬化性材料注入管を閉塞させることを防止す  る。  また、図３に示されるように、透かし溝掘削用チェーンカッタ２を引き抜く場合に、第１の先端部注入管４ａから透かし溝１に硬化性材料３を充填でき  る。
【００１６】
次に、図１、図２（ａ）（ｂ）（ｃ）に示されるトンネル掘進装置において、硬化性材料注入管用移動フレーム２６、硬化性材料注入管用ガイド部材２４、硬化性材料注入管駆動装置２５および硬化性材料注入管４の代わりに、以下の構成要件を備える図５、図６に示される第３の実施の形態について説明する。
硬化性材料注入管４ｄは、透かし溝掘削用チェーンカッタ２と平行状態を維持しながら、長手方向に移動可能に設けられる。  固定開口部１４は、透かし溝掘削用チェーンカッタ２に固定され、透かし溝１内に開口し、硬化性材料注入管  ４ｄの先端開口部１２と連通するときに、透かし溝１内に硬化性材料３を注入する。  バイパス管１３は、硬化性材料注入管４ｄと平行に透かし溝掘削用チェーンカッタ２に固定され、固定開口部１４から長手方向に別の位置に、硬化性材料注入管４ｄと連通可能に先端開口部１５を有し、既に地盤が除去された空間    １０に後端開口部１６を有する。  エア管１７は、先端開口部１８が固定開口部１４と連通あるいは離隔するように、硬化性材料注入管４ｄと共に移動するように設けられ、空気を噴出する。
このため、硬化性材料注入管４ｄと、バイパス管１３とを連通させるように、図６に示されるように、切り替えることにより、透かし溝掘削用チェーンカッタ２が地盤強固等のトラブルにより停止した場合に、バイパス管１３を介して硬化性材料３を、既に地盤が除去された空間１０に排出でき、硬化性材料          ３が、硬化性材料注入管４ｄ内で硬化して、硬化性材料注入管４ｄを閉塞させることを防止する。  このとき、エア管１７の先端開口部１８が固定開口部１４と連通して、空気を噴出することにより、固定開口部１４から硬化性材料３を排出して、固定開口部１４の閉塞を防止する。
【００１７】
次に、図１、図２（ａ）（ｂ）（ｃ）に示されるトンネル掘進装置において、硬化性材料注入管用移動フレーム２６、硬化性材料注入管用ガイド部材２４、硬化性材料注入管駆動装置２５および硬化性材料注入管４の代わりに、以下の構成要件を備える図７に示される第４の実施の形態について説明する。
硬化性材料注入管４ｅは、シリンダ１９により透かし溝掘削用チェーンカッタ２と平行に離隔、あるいは、近接するようにチェーンカッタ用ガイド部材２２に設けられる。
このため、硬化性材料注入管４ｅは、シリンダ１９により透かし溝掘削用    チェーンカッタ２と平行に離隔した状態で、透かし溝掘削用チェーンカッタ２が掘削作業を進行し、透かし溝掘削用チェーンカッタ２が、地盤強固等のトラブルにより停止した場合に、シリンダ１９を短縮して、硬化性材料注入管４ｅは、透かし溝掘削用チェーンカッタ２と平行に近接する。  これにより、この近接により形成された空間２０に硬化性材料注入管４ｅは硬化性材料を排出でき、硬化性材料が硬化性材料注入管４ｅ内で硬化して、硬化性材料注入管４ｅを閉塞させることを防止する。
【００１８】
【発明の効果】
本発明は、以上説明したように、アーチ状支保版を形成する場合の脚部付近においても、硬化性材料注入管のみを独立に回動させるため、連続して、透かし溝の掘削および硬化性材料の注入作業を進行し、硬化性材料注入管で透かし溝に硬化性材料を充填でき、能率がよい。  また、地盤が強固な場合等において、透かし溝掘削用チェーンカッタがトラブルにより停止し、あるいは、透かし溝の掘削速度が低下ときに、硬化性材料注入管のみを独立に回動させるため、硬化性材料注入管内で硬化性材料が硬化して、硬化性材料注入管を閉塞させることを防止する。
【００１９】
さらに、後端部注入管と、第１および第２の先端部注入管、あるいは、バイパス管との連通を、適宜、切り替えることにより、透かし溝掘削用チェーンカッタが地盤強固等のトラブルにより停止した場合に、バイパス管を介して硬化性材料を、既に地盤が除去された空間に排出でき、硬化性材料が、硬化性材料注入管内で硬化して、硬化性材料注入管を閉塞させることを防止する。  また、透かし溝掘削用チェーンカッタを引き抜く場合にも、第１の先端部注入管から透かし溝に硬化性材料を充填できる。
【００２０】
さらに、硬化性材料注入管を、透かし溝掘削用チェーンカッタと平行状態を維持しつつ長手方向に移動して、バイパス管との連通または離隔を、適宜、切り替えることにより、透かし溝掘削用チェーンカッタが、地盤強固等のトラブルにより停止した場合に、バイパス管を介して硬化性材料を、既に地盤が除去された空間に排出でき、硬化性材料が、硬化性材料注入管内で硬化して、硬化性材料注入管を閉塞させることを防止する。  このとき、エア管の先端開口部が固定開口部と連通して、空気を噴出することにより、固定開口部から硬化性材料を排出し  て、固定開口部の閉塞を防止する。
【００２１】
さらに、硬化性材料注入管は、シリンダにより透かし溝掘削用チェーンカッタと平行に離隔した状態で、透かし溝掘削用チェーンカッタが掘削作業を進行し、透かし溝掘削用チェーンカッタが地盤強固等のトラブルにより停止した場合に、シリンダを短縮して、硬化性材料注入管は、透かし溝掘削用チェーンカッタと平行に近接する。  これにより、この近接により形成された空間に硬化性材料注入管は硬化性材料を排出でき、硬化性材料が硬化性材料注入管内で硬化して、硬化性材料注入管を閉塞させることを防止する。
【００２２】
【図面の簡単な説明】
【図１】本発明の第１の実施の形態の部分構成図および動作説明図である。
【図２】本発明の第１の実施の形態の部分構成図および動作説明図である。
【図３】本発明の第２の実施の形態の部分構成図および動作説明図である。
【図４】本発明の第２の実施の形態の部分構成図および動作説明図である。
【図５】本発明の第３の実施の形態の部分構成図および動作説明図である。
【図６】本発明の第３の実施の形態の部分構成図および動作説明図である。
【図７】本発明の第４の実施の形態の部分構成図および動作説明図である。
【符号の説明】
１  透かし溝      ２  透かし溝掘削用チェーンカッタ    ３  硬化性材料
４，４ｄ，４ｅ  硬化性材料注入管      ４ａ  第１の先端注入管
４ｂ  第２の先端注入管                ４ｃ  後端注入管
５  妻型枠        ６  ガイド枠        ９、１３  バイパス管
１４  固定開口部  １７  エア管        １９  シリンダ
２１  チェーンカッタ用移動フレーム
２２  チェーンカッタ用ガイド部材
２３  チェーンカッタ循環用駆動装置
２４  硬化性材料注入管用ガイド部材
２５  硬化性材料注入管駆動装置
２６  硬化性材料注入管用移動フレーム
【図１】
0003797574.tif 000002
【図２】
0003797574.tif 000003
【図３】
0003797574.tif 000004
【図４】
0003797574.tif 000005
【図５】
0003797574.tif 000006
【図６】
0003797574.tif 000007
【図７】
0003797574.tif 000008